(57)【要約】【課題】最終処分場等で廃棄物を収容する遮水構造で、汚染水の漏出を事前的に確実に防止できるピット構造を提供する。【解決手段】廃棄物１０ａに接するはずの内側面に防水シート１３ａと通水ブロック１３ｂとからなる防水層１３が設けられた内壁１及び内壁１の外側面から間隔をおいて設けられた外壁２を備え、内壁１及び外壁２の間に人が出入りして監視するための空間３が確保されて、汚染水が漏出する危険性の有無を事前的に肉眼で把握することが可能とする廃棄物１０ａを収容するため地盤中にピット１０を設けること。【選択図】  図１
2004237256.tif 000002
【特許請求の範囲】
【請求項１】
廃棄物を収容するため地盤中に設けられるピット構造であって、
廃棄物に接するはずの内側面に防水層が設けられた内壁及び該内壁の外側面から間隔をおいて設けられた外壁を備え、該内壁及び該外壁の間に人が出入りして監視するための空間が確保されていることを特徴とするピット構造。
【請求項２】
前記防水層は、前記内壁の内側面に接着される防水シート層と、前記防水シート層を保護するとともに廃棄物から出てきた水を下に向かって流下させるための通水層とからなることを特徴とする請求項１に記載のピット構造。
【請求項３】
前記空間に駐車場、駐輪場、貯蔵庫、シェルターその他の地下施設を設けたことを特徴とする請求項１又は請求項２に記載のピット構造。
【発明の詳細な説明】
【０００１】
【発明の属する技術分野】
本発明は、主として最終処分場等で廃棄物を収容する目的に用いられる技術であるピット構造に関する。
【０００２】
【従来の技術】
従来のこの種の技術としては、例えば最終処分場等で廃棄物を収容する目的に用いられる遮水構造であって、下層シートと上層シートとからなる二重構造の遮水シートを備え、それぞれのシートの間に漏水を検知するためのスラリー状の止水材が充填されているものが開示されている（例えば、特許文献１参照）。
【０００３】
【特許文献１】
特開平１０−１２８２６８号公報
【０００４】
【発明が解決しようとする課題】
ところで、従来の遮水構造によれば、遮水シートが破損した場合には、止水材のレベル変化で漏水を検知することが可能となっている。
しかしながら、遮水シートが破損して汚染水が漏出した場合において事後的に漏水が検知されても、もはや汚染水の周辺環境への拡散を止めることが困難となり、汚染水の拡散後に元の無汚染状態に戻すことは事実上殆ど不可能である。
そこで、本発明の課題は、汚染水の漏出を事前的に確実に防止できるピット構造を提供することにある。
【０００５】
【課題を解決するための手段】
上記課題を解決するため、本発明に係るピット構造は、廃棄物を収容するため地盤中に設けられるピット構造であって、廃棄物に接するはずの内側面に防水層が設けられた内壁及び内壁の外側面から間隔をおいて設けられた外壁を備え、内壁及び外壁の間に人が出入りして監視するための空間が確保されていることを特徴としている。
【０００６】
このようなピット構造によれば、廃棄物側の面に防水層を設けた内壁及び内壁から間隔をおいて設けた外壁の間に人が出入りして監視するための空間が確保されているので、監視担当者は空間に出入りして汚染水が漏出する危険性の有無を事前的に肉眼で把握することが可能となる。
【０００７】
したがって、これによれば、汚染水の漏出を確実に防止できることになる。
【０００８】
このような技術的手段において、防水シートとしては、産業廃棄物や一般廃棄物を投棄する埋立型の廃棄物処分場で、漏水する汚染水が地下に浸透して環境汚染を引起すことを防止するという観点からすれば、処分場の底面に遮水シートとして使われている合成樹脂系あるいはゴム系の遮水シートが好ましい。
【０００９】
なお、防水シートとしては、例えば複数に分割したものを現場において、溶着や接着剤を介した圧着等によりその端部を接合して一体化することにより、廃棄物に接する周囲全域を覆うように敷設することが可能となる。
【００１０】
また、通水層としては、汚染水を速やかに下部に導くことが可能なものであれば、材料や構造の別を問わず、例えば焼却灰やガラス瓶の粉末をエポキシ樹脂などのブロック化材でポーラス状に固めたものなど環境に優しいリサイクル材料を使うことができる。
【００１１】
なお、焼却灰やガラス瓶の粉末を発泡化品たる多孔質骨材を粗骨材とし、細骨材として若干の焼却灰やガラス瓶の粉末にエポキシ樹脂を混和材として練り混ぜ合わせて製造することとすれば、粗骨材自身も多数の空隙を有しているので、多くの孔隙・空隙を形成していることになり、効率的な通水層の形成が可能となる。
【００１２】
さらに、より完全な防水層を形成することとして、汚染水の漏出をより確実に防止できるようにする観点からすれば、防水層は、内壁の内側面に接着される防水シート層と、防水シート層を保護するとともに廃棄物から出てきた水を下に向かって流下させるための通水層とからなることが好ましい。
【００１３】
さらにまた、空間に地下施設を設けることとして、地下空間の有効活用を図るという観点からすれば、空間に駐車場、駐輪場、貯蔵庫、シェルターその他の地下施設を設けたことが好ましい。
そして、施設の近隣住民が望めば、安心してこの施設を受け入れられるように汚染物質が完全に密封管理されていることを住民が監視できる住民に喜ばれる施設を設けることが望ましい。
【００１４】
また、地上に地上施設を設けることとして、地上の敷地の有効活用を図るという観点からすれば、地上の敷地に、資源リサイクル化施設、エネルギー活用焼却炉等の最終廃棄物処理量削減を図れ設備を設置して稼働させ、投棄廃棄物を減らしてこの新設最終廃棄物処理場の埋設可能寿命の延長を図るためゴミ削減などの廃棄物処理プラント、管理棟その他の地上施設を設けたことが好ましい。
また、ピットの開口に蓋を架設してできる地上部分に公園やプールなど市民のためのリクリエーション施設などの地上施設を設けたことが好ましい。
【００１５】
この場合には、上部構造物や蓋（屋根）などの存在により雨水の流入、臭気の流出の防止も可能となる。
【００１６】
【発明の実施の形態】
以下、添付図面に基づいて本発明の実施の形態を詳細に説明する。
【００１７】
なお、本実施の形態では、産業廃棄物や一般廃棄物を投棄する埋立型の廃棄物処分場を陸上部で構築するピット構造の場合について説明するが、これに限られるものではない。すなわち、本発明は、浅海の海底下に処分場をつくる場合や既存の廃棄物処分場を撤去してその場所にて再構築する場合でも、適用可能である。
【００１８】
なお、浅海の海底下に処分場をつくる場合、二重壁の天端面を海面より所定高さに設定して構築することにより、浅海面下に処分場ができるので、海浜都市近郊での処分場の立地の適用範囲が広がる。
【００１９】
また、既存の廃棄物処分場を撤去してその場所にて再構築する場合には、廃棄物を囲み込む範囲に二重壁を築造し、既往廃棄物を掘削・搬出して焼却処分などにより焼却灰などとして減量化した最終廃棄物とし、新設したピットに廃棄することにより、既往処分場の汚染水漏出に伴う周辺環境への影響の遮断とその廃棄物の減量化と処分並びに処分場適地不足の現状から鑑みた敷地の再利用など、然も、絶対に外部環境に汚染水による環境被害を出さない施設の構築が可能となる。
このように、既往廃棄物処理場もリニューアルにより再開発ができることとなり、廃棄物処理場を別に設けて、地方までゴミを運び、自然破壊をして捨て場を探す必要もなく、新たな用地を求めなくても既存の処理場にて、すなわち、ゴミ発生地元で処理できることが可能となる。
【００２０】
図１は本発明の一実施の形態に係るピット構造の全体構成を示す断面図、図２は同ピット構造の部分構成を示す断面図である。
【００２１】
本実施の形態において、図１に示すように、ピット構造は、最終処分場等で廃棄物１０ａを収容する目的で地盤中に設けられるものとして構成されている。
【００２２】
そして、このピット構造は、同図に示すように、内壁１と、外壁２と、空間３とを備えたものとして構成されている。
【００２３】
以下、これらの各構成要素についてさらに詳細に説明する。
【００２４】
（１）内壁１
内壁１は、図２に示すように、廃棄物１０ａに接するはずの内側面に防水層１３が設けられたものとして構成されている。
【００２５】
すなわち、このような内壁１によれば、同図に示すように、廃棄物１０ａをピット１０内へ収容するための壁体とするとともにピット１０内の汚染水を速やかに有孔集水渠４１に降下させることが可能となっており、これにより、空間３への汚染水の漏出を防止することが可能となっている。
【００２６】
具体的には、内壁１は、図１に示すように、ピット１０の垂直部分を形成している内地下連続壁１１と、ピット１０の水平部分を形成しているピット上床版１２とからなっている。
【００２７】
ここで、防水層１３は、図２に示すように、防水シート層たる防水シート１３ａと、通水層たる通水ブロック１３ｂとからなっている。
【００２８】
防水シート１３ａは、同図に示すように、内壁１の内側面に接着されるものとして構成されている。また、通水ブロック１３ｂは、同図に示すように、防水シート１３ａの内側面に接して設けられ、防水シート１３ａを保護するとともに廃棄物１０ａから出てきた汚染水を下に向かって流下させるために用いられるものとして構成されている。
【００２９】
これにより、より完全な防水層１３を形成することが可能となっており、その結果、汚染水の漏出をより確実に防止できることとなっている。
【００３０】
具体的には、廃棄物１０ａから涌出した汚染水は、同図に示すように、内壁１の防水シート１３ａを被覆するポーラスな通水ブロック１３ｂから滴下して、ピット上床版１２の上に接着される防水シート１３ａを被覆する通水ブロック１３ｂ内に設けた有孔集水渠４１に導かれる。この有孔集水渠４１は内壁１の内側面に近接してピット１０の周方向に連続して配設されており、同じく内壁１の内側面に近接してピット上床版１２の上に適宜設けられた集水マス４２に集められて、二重壁内に設けた排水管（図示外）を経由して地上処理施設（図示外）にポンプアップされる。また、ピット上床版１２の上に設けた通水ブロック１３ｂ内には適宜間隔で有孔集水管４３が配設されており、有孔集水管４３は有孔集水渠４１に接続されている。このとき、ピット上床版１２に若干の傾斜をつけてそのボトムに有孔集水管４３を配設することにより、集水が効率的に行われるようになっている。さらに、有孔集水管４３に直交するように適宜集水枝管４４を配設しておくことにより、マトリックス的に集水管を配置することができるので、より効率的に廃棄物１０ａの汚染水の集排水が可能となっている。
【００３１】
（２）外壁２
外壁２は、図１に示すように、内壁１の外側面から間隔をおいて設けられたものとして構成されている。
【００３２】
すなわち、このような外壁２によれば、内壁１と外壁２との間に監視担当者が汚染水の漏出する危険性の有無を事前的に肉眼で把握するための空間３を確保することが可能となっており、これにより、汚染水の漏出を確実に防止することが可能となっている。
【００３３】
換言すれば、外壁２を直接に廃棄物１０ａと接触することがない内壁１から独立した壁体としているので、監視担当者は、外壁２から汚染水が漏出する前に内壁１から汚染水が漏出する危険性の有無を事前的に肉眼で把握することが可能となっている。
【００３４】
具体的には、外壁２は、同図に示すように、ピット１０の垂直部分を形成している外地下連続壁２１と、ピット１０の水平部分を形成しているピット下床版２２とからなっている。
【００３５】
（３）空間３
空間３は、内壁１及び外壁２の間に人が出入りして監視するために確保されているものとして構成されている。
【００３６】
すなわち、このような空間３によれば、人が出入して監視することが可能となっており、これにより、汚染水の漏出が発生しても、その発見及び補修が容易にできることになり、周辺環境への汚染水の拡散を完全に阻止できることとなっている。
【００３７】
具体的には、空間３は、図１に示すように、内地下連続壁１１及び外地下連続壁２１の間に確保されているとともに、ピット上床版１２及びピット下床版２２の間に確保されている。
【００３８】
すなわち、垂直部分にあっては、地下連続壁で内壁１と外壁２をそれぞれ単独に構築して二重壁を設け、二重壁の内側を所定深度まで掘削後に、外壁２たる二重壁下床版２３を構築する。続いて、外壁２たる外地下連続壁２１からグラウンドアンカーを打設する。これによりピット１０内掘削時の切梁や腹起こし等の山留支保工を省くことができ、効率的な掘削を行うことが可能となる。一方、水平部分にあっては、ピット１０内を所定深度まで掘削して、通常の構造物の構築方法による駐車場３ａの構築に併せて二重壁を設ける。そして、廃棄物１０ａに接する内壁１の内側面には防水シート１３ａ及び通水ブロック１３ｂ並びに有孔集水渠４１など汚染水の漏出を防止するための諸設備を取り付け、空間３には所要の施設を構築する。
【００３９】
なお、ここでは、二重壁の構造を地下連続壁としたが、ケーソン工法によれば、ケーソンを所定深度まで沈設することにより内壁１と外壁２とを一体化した躯体の構築が完成する。
【００４０】
ここで、空間３は、図１に示すように、駐車場３ａを設けたものとして構成されている。
【００４１】
これにより、空間３に有用な地下施設が設けられることになり、その結果、地下空間３の有効活用が図られることとなっている。
【００４２】
もちろん、地下施設としては、駐車場３ａに限られるものではなく、地下施設の種類の別や公益性の有無を問わず、本発明における空間３の機能を妨げない限度で、本実施の形態に係るピット構造が設置される場所や社会的ニーズなどに応じて適宜選定して差し支えない。それゆえ、地下施設としては、駐輪場、貯蔵庫、シェルターなども設けることができる。
【００４３】
具体的には、内壁１と外壁２で構成された二重壁の一部をエレベータシャフトとして利用し（図示外）、地上から自動車３ｂを地下に搬送し、所要の駐車スペースに機械でアクセスして駐車する、既往の機械式駐車場と同様のシステムとなっている。
【００４４】
上記したように、このようなピット構造によれば、廃棄物１０ａ側の面に防水層１３を設けた内壁１及び内壁１から間隔をおいて設けた外壁２の間に人が出入りして監視するための空間３が確保されているので、監視担当者は空間３に出入りして汚染水が漏出する危険性の有無を事前的に肉眼で把握することが可能となっている。
【００４５】
したがって、これによれば、汚染水の漏出を事前的に確実に防止できることとなっている。
【００４６】
【発明の効果】
本発明に係るピット構造によれば、汚染水の漏出を事前的に確実に防止できることとなる。
【図面の簡単な説明】
【図１】本発明の一実施の形態に係るピット構造の全体構成を示す断面図である。
【図２】本発明の一実施の形態に係るピット構造の部分構成を示す断面図である。
【符号の説明】
１      内壁
２      外壁
３      空間
３ａ  駐車場
３ｂ  自動車
１０    ピット
１０ａ  廃棄物
１１    内地下連続壁
１２    ピット上床版
１３    防水層
１３ａ  防水シート
１３ｂ  通水ブロック
２１    外地下連続壁
２２    ピット下床版
２３    二重壁下床版
４１    有孔集水渠
４２    集水マス
４３    有孔集水管
４４    集水枝管
【図１】
2004237256.tif 000003
【図２】
2004237256.tif 000004